(57)【要約】【課題】  装着時の位置ずれを少なくして、測定精度を向上させることができる血圧計を提供する。【解決手段】  カフ帯１２の阻血袋１５を手首１等の測定部位に当てがって、阻血袋１５の膨張で動脈２，３を圧迫阻血して血圧測定を行う血圧計１０であって、上記カフ帯１２と阻血袋１５との間に弾性体板１１Ａが介設されて、この弾性体板１１Ａは、測定部位の周方向に所定の開き角度θ１で折曲して連なり、手首１等の主要な動脈２，３を覆う複数の平面板部１１ａで構成されている。【選択図】  図１
2005334124.tif 000002
【特許請求の範囲】
【請求項１】
カフ帯の阻血袋を手首等の測定部位に当てがって、阻血袋の膨張で動脈を圧迫阻血して血圧測定を行う血圧計であって、
上記カフ帯と阻血袋との間に弾性体板が介設されて、この弾性体板は、測定部位の周方向に所定の開き角度で折曲して連なり、手首等の主要な動脈を覆う複数の平面板部で構成されていることを特徴とする血圧計。
【請求項２】
上記弾性体板の１つの平面板部は、手首等の横断面の長軸に対して略平行となるように設定されていることを特徴とする請求項１記載の血圧計。
【請求項３】
上記弾性体板は、手首等のほぼ全周を覆う長さに設定されて、手首等の横断面の長軸に対して略平行なる平面板部と、手首等の主要な動脈を覆う平面板部と、手首等の両側面を覆う平面板部と、手首等の横断面の長軸に対して、手首等の主要な動脈と反対側の手首等を覆う平面板部とからなることを特徴とする請求項１記載の血圧計。
【請求項４】
上記弾性体板の隣り合う平面板部の少なくとも１箇所が分割されて、この分割された平面板部は、別体の連結部で折り曲げ可能に連結されていることを特徴とする請求項１〜３のいずれか１項に記載の血圧計。
【請求項５】
上記弾性体板の隣り合う平面板部の間が分割されて、各平面板部は、別体の位置固定手段で連結されていることを特徴とする請求項１〜４のいずれか１項に記載の血圧計。
【請求項６】
上記弾性体板の平面板部が左右対称形状であることを特徴とする請求項１〜５のいずれか１項に記載の血圧計。
【請求項７】
カフ帯の阻血袋を手首等の測定部位に当てがって、阻血袋の膨張で動脈を圧迫阻血して血圧測定を行う血圧計であって、
上記カフ帯に、阻血袋の膨張・収縮手段、阻血袋の内部圧力検出手段、血圧測定手段、測定値表示手段等が収納された血圧計本体が取付けられ、この血圧計本体は、測定部位の周方向に所定の開き角度で折曲可能であることを特徴とする血圧計。
【発明の詳細な説明】
【技術分野】
【０００１】
本発明は、装着時の位置ずれが少ない血圧計に関する。
【背景技術】
【０００２】
従来、カフ帯の阻血袋を手首等の測定部位に当てがって、阻血袋の膨張で動脈を圧迫阻血して血圧測定を行う血圧計がある（オシロメトリック法）。
【０００３】
上記のような血圧計で測定精度を向上させるためには、阻血袋を位置ずれしないように手首等に密着させて、効率良く圧迫する必要がある。
【０００４】
このため、カフ帯と阻血袋との間に弾性体板（クリップ板）を介設して、この弾性体板によって、阻血袋の膨張を安定させるようにしたものがある（特許文献１，２参照）。
【特許文献１】特許第３２３５６０２号公報
【特許文献２】特開２００４−８２４０号公報
【発明の開示】
【発明が解決しようとする課題】
【０００５】
しかしながら、従来の弾性体板は、略楕円（Ｃ字）形状であり、手首等の横断面形状も略楕円形状であることから、手首等への装着時に弾性体板が回転力して、位置ずれしやすくなるという問題があった。
【０００６】
本発明は、上記問題を解消するためになされたもので、装着時の位置ずれを少なくして、測定精度を向上させることができる血圧計を提供することを課題とするものである。
【課題を解決するための手段】
【０００７】
上記課題を解決するために、請求項１の発明は、カフ帯の阻血袋を手首等の測定部位に当てがって、阻血袋の膨張で動脈を圧迫阻血して血圧測定を行う血圧計であって、
上記カフ帯と阻血袋との間に弾性体板が介設されて、この弾性体板は、測定部位の周方向に所定の開き角度で折曲して連なり、手首等の主要な動脈を覆う複数の平面板部で構成されていることを特徴とするものである。
【０００８】
請求項２の発明は、請求項１記載の血圧計であって、上記弾性体板の１つの平面板部は、手首等の横断面の長軸に対して略平行となるように設定されていることを特徴とするものである。
【０００９】
請求項３の発明は、請求項１記載の血圧計であって、上記弾性体板は、手首等のほぼ全周を覆う長さに設定されて、手首等の横断面の長軸に対して略平行なる平面板部と、手首等の主要な動脈を覆う平面板部と、手首等の両側面を覆う平面板部と、手首等の横断面の長軸に対して、手首等の主要な動脈と反対側の手首等を覆う平面板部とからなることを特徴とするものである。
【００１０】
請求項４の発明は、請求項１〜３のいずれか１項に記載の血圧計であって、上記弾性体板の隣り合う平面板部の少なくとも１箇所が分割されて、この分割された平面板部は、別体の連結部で折り曲げ可能に連結されていることを特徴とするものである。
【００１１】
請求項５の発明は、請求項１〜４のいずれか１項に記載の血圧計であって、上記弾性体板の隣り合う平面板部の間が分割されて、各平面板部は、別体の位置固定手段で連結されていることを特徴とするものである。
【００１２】
請求項６の発明は、請求項１〜５のいずれか１項に記載の血圧計であって、上記弾性体板の平面板部が左右対称形状であることを特徴とするものである。
【００１３】
請求項７の発明は、カフ帯の阻血袋を手首等の測定部位に当てがって、阻血袋の膨張で動脈を圧迫阻血して血圧測定を行う血圧計であって、
上記カフ帯に、阻血袋の膨張・収縮手段、阻血袋の内部圧力検出手段、血圧測定手段、測定値表示手段等が収納された血圧計本体が取付けられ、この血圧計本体は、測定部位の周方向に所定の開き角度で折曲可能であることを特徴とするものである。
【発明の効果】
【００１４】
請求項１の発明によれば、弾性体板を所定の開き角度で折曲させた複数の平面板部で構成することにより、この平面板部で手首等の測定部位の凹凸部分を囲むことができるから、測定部位に対する平面板部の接触面積が多くなって、手首等への装着時に回転力が生じても接触摩擦力によって回転しにくくなるので、装着時の位置ずれが少なくなり、阻血袋の動脈への圧迫効率が高くなって測定精度が向上する。また、阻血袋が膨張した際に、阻血袋が手首等から遠ざかる方向に逃げる力の抑制は、曲面状に比べて平面状の方が強いために、阻血袋の動脈への圧迫効率がより高くなる。
【００１５】
請求項２の発明によれば、手首等において、動脈への圧迫を阻害する要因となる隆起部を平面板部で押さえ付けることで、阻血袋の動脈への圧迫効率がより高くなる。
【００１６】
請求項３の発明によれば、手首等の両側面も平面板部で圧迫することができるから、装着時の位置ずれがより少なくなって、動脈への圧迫効率がより一層高くなる。また、手首等のほぼ全周に亘って弾性体板で覆うことができるから、装着時の位置ずれがより少なくなるとともに、阻血袋の逃げる力の抑制が強くなって、動脈への圧迫効率がより一層高くなる。
【００１７】
請求項４の発明によれば、弾性体板の隣り合う平面板部を分割して、この分割した平面板部を別体の連結部で連結したから、手首等のほぼ全周に亘って覆う構造であっても、装着が容易になって使い勝手が良くなる。また、連結部を複数設けることによって、弾性体板をコンパクトに折り畳むことが可能になる。
【００１８】
請求項５の発明によれば、弾性体板の隣り合う平面板部の間を分割して、各平面板部を別体の位置固定手段で連結しているから、各平面板部の位置ずれが無くなるとともに、弾性体板をコンパクトに折り畳むことが可能になる。
【００１９】
請求項６の発明によれば、弾性体板の平面板部を左右対称形状としたから、阻血袋の膨張時の左右のバランスが良くなって、動脈への圧迫効率が一層高くなる。
【００２０】
請求項７の発明によれば、手首等の測定部位の凹凸部分を所定の開き角度で折曲した血圧計本体の平面板部で囲むことができるから、測定部位に対する平面板部の接触面積が多くなって、手首等への装着時に回転力が生じても接触摩擦力によって回転しにくくなるので、装着時の位置ずれが少なくなり、阻血袋の動脈への圧迫効率が高くなって測定精度が向上する。また、阻血袋が膨張した際に、阻血袋が手首等から遠ざかる方向に逃げる力の抑制は、曲面状に比べて平面状の方が強いために、阻血袋の動脈への圧迫効率がより高くなる。さらに、血圧計本体を弾性体板として利用できるから、別体の弾性体板が不要となってコストを軽減できるようになる。
【発明を実施するための最良の形態】
【００２１】
以下、本発明を実施するための最良の形態について、図面を参照しながら詳細に説明する。
【００２２】
図１は、血圧計１０であり、（ａ）は手首１に装着した時の断面図、（ｂ）は、第１実施形態の弾性体板１１Ａの平面図、（ｃ）は（ｂ）の正面図である。
【００２３】
上記血圧計１０のカフ帯１２は、外布１３の内面に内布１４を袋状に取付けて、この袋状内の外側に弾性体板１１Ａを収容するとともに、内側に阻血袋１５を収容して構成されている。
【００２４】
そして、図１（ａ）のように、内布１４を介して阻血袋１５を手首１の手掌側に当てがった状態で、カフ帯１２を手首１に巻き付けて、面ファスナー１６等でずれないように固定する。
【００２５】
上記カフ帯１２には血圧計本体１７が取付けられ、この血圧計本体１７内には、ポンプ１８、排気弁１９、圧力センサー２０等が設けられ、これらは、阻血袋１５に対して空気を給排するための配管２１で接続されるとともに、制御部２２によって作動タイミングが制御されるようになる。
【００２６】
すなわち、スイッチをオンして血圧の測定を開始すると、ポンプ１８から配管２１を介して阻血袋１５に空気が供給されて、阻血袋１５が所定の圧力に達するまで手首１を圧迫して、橈骨動脈２と尺骨動脈３とを阻血する。そして、圧力センサー２０で所定の圧力に達したことが確認されると、ポンプ１８を停止し、排気弁１９により一定速度で減圧するように阻血袋１５の空気が排出される。同時にこれら動脈２，３の脈波成分をフィルター等により抽出して、所定のアルゴリズムを用いて血圧値を算出し、この血圧値を表示部２３で表示するようになる。
【００２７】
ここで、図９（ａ）を用いて、測定部位である手首１について説明する。手首１の一般的な横断面形状は、凹凸を伴う略楕円形状であって、手首１の手掌側には、上腕動脈から分岐した橈骨動脈２と尺骨動脈３とが存在し、これら動脈２，３の周囲には、筋肉、長掌筋腱、橈側手根屈筋腱、尺側手根屈筋腱、指屈筋腱等の腱組織４、橈骨５や尺骨６等の硬い骨組織が存在する。腱組織４は、やや硬い組織であって、手掌側の表面に近いために、隆起部を形成し、この隆起部の両側に位置する動脈２，３の付近はやや窪んでいることが多い。
【００２８】
したがって、阻血袋１５で手首１を圧迫して、橈骨動脈２と尺骨動脈３とを阻血する際に、装着時の位置ずれがあると、阻血袋１５の動脈２，３への圧迫効率が低くなって測定精度が低下する。また、阻血袋１５が膨張した際に、阻血袋１５が手首等から遠ざかる方向に逃げる力の抑制が充分でないと、阻血袋１５の動脈２，３への圧迫効率が低くなる。
【００２９】
そこで、上記血圧計１０では、カフ帯１２の外布１３と阻血袋１５との間に第１実施形態の弾性体板１１Ａを介設している。
【００３０】
上記弾性体板１１Ａは、図１（ａ）（ｂ）のように、手首１の周方向において、所定の開き角度θ１で略逆Ｖ字状に折曲して連なり、手首１の主要な動脈２，３を覆う複数（本例では２枚）の平面板部１１ａで構成されている。この所定の開き角度θ１は、概ね１００〜１３０度に設定することが好ましい。
【００３１】
上記弾性体板１１Ａは、例えば、厚さｔが１〜２ｍｍ、幅Ｗが５０ｍｍ程度のプラスチック材料等を加熱状態で折り曲げ成形したり、金型で射出成形することで、簡単に成形することができる。
【００３２】
第１実施形態の弾性体板１１Ａを備えた血圧計１０であれば、弾性体板１１Ａは、所定の開き角度θ１で略逆Ｖ字状に折曲させた２枚の平面板部１１ａを有していて、この平面板部１１ａで手首１の凹凸部分を囲むことができるから、手首１に対する平面板部１１ａの接触面積が多くなって、手首１への装着時に回転力が生じても接触摩擦力によって回転しにくくなるので、装着時の位置ずれが少なくなり、阻血袋１５の動脈２，３への圧迫効率が高くなって測定精度が向上するようになる。
【００３３】
また、阻血袋１５が膨張した際に、阻血袋１５が手首１から遠ざかる方向に逃げる力の抑制は、曲面状に比べて平面状の方が強いために、阻血袋１５の動脈２，３への圧迫効率がより高くなる。
【００３４】
ここで、弾性体板１１Ａの位置ずれが少なくなる要因を、図９（ｂ）に示した従来の弾性体板７と、図９（ｃ）に示した第１実施形態の弾性体板１１Ａとを対比して詳細に説明する。なお、図９（ｂ）（ｃ）では、説明を簡単にするために、阻血袋１５と内布１４の図示を省略している。
【００３５】
従来の弾性体板７は、略楕円（リング）形状であって、図９（ｂ）のように、手首１に装着した場合、手掌側の中央部が腱組織４により隆起しているために、各動脈２，３の付近の手首１の表面と弾性体板７の内面との間に隙間ｓが生じるので接触圧が弱くなり、そのために、カフ帯１２を手首１に巻き付ける際の回転力（矢印参照）で位置ずれが起こりやすくなる。
【００３６】
これに対して、第１実施形態の弾性体板１１Ａは、略逆Ｖ字状に折曲して連なる複数の平面板部１１ａで構成しているから、図９（ｃ）のように、手首１に装着した場合、各動脈２，３の付近の手首１の表面と弾性体板１１Ａの各平面板部１１ａの内面との間に隙間ｓが生じないので接触圧が強くなり、そのために、カフ帯１２を手首１に巻き付ける際の回転力（矢印参照）で位置ずれが起こりにくくなる。
【００３７】
次に、阻血袋１５の圧迫効率が高くなる要因を、図１０（ａ）に示した従来の弾性体板７と、図１０（ｂ）に示した第１実施形態の弾性体板１１Ａとを対比して詳細に説明する。なお、図１０（ａ）（ｂ）では、説明を簡単にするために、内布１４の図示を省略している。
【００３８】
従来の弾性体板７は、略楕円（曲面）形状であって、図１０（ａ）のように、弾性体板７が上方に変形しやすいために、阻血袋１５が膨張した際に、阻血袋１５が手首１から遠ざかる方向に逃げる力の抑制は弱くなり、阻血袋１５の動脈２，３への圧迫効率が低くなる。この対策として、弾性体板７の剛性を高めるか、カフ帯１２をきつく締め付けなければならない。
【００３９】
これに対して、第１実施形態の弾性体板１１Ａは、略逆Ｖ字状に折曲して連なる複数の平面板部１１ａで構成して、平面板部１１ａの間に折れ曲がり部１１ｆが形成されているから、図１０（ｂ）のように、弾性体板１１Ａが上方に変形しにくいために、阻血袋１５が膨張した際に、阻血袋１５が手首１から遠ざかる方向に逃げる力の抑制は、曲面状に比べて平面状の方が強いとともに、平面板部１１ａは阻血袋１５の圧力を手首１に対して垂直に作用させるために、阻血袋１５の動脈２，３への圧迫効率がより高くなる。したがって、弾性体板１１Ａの剛性を高めたり、カフ帯１２をきつく締め付けなりしなくても、動脈２，３を効率良く圧迫できるようになる。これにより、阻血袋１５の幅を細くすることも可能となる。
【００４０】
上記弾性体板１１Ａは、開き角度θ１が固定であったが、弾性体板１１Ａを可撓性のプラスチック材料で成形すれば、手首１の横断面形状に馴染んで開き角度θ１が変わるので、様々な横断面形状の手首１に適用することができる。
【００４１】
図２は、第２実施形態の弾性体板１１Ｂであり、（ａ）は手首１に装着した時の断面図、（ｂ）は平面図、（ｃ）は（ａ）の正面図である。なお、カフ帯１２の図示は省略している。以下の実施形態も同様である。
【００４２】
第１実施形態の弾性体板１１Ａと相違する点は、略逆Ｖ字状に折曲した２枚の平面板部１１ａの間に、手首１の横断面の長軸に対して略平行となる１枚の平面板部１１ｂを設けたことである。
【００４３】
上記弾性体板１１Ｂの中央の平面板部１１ｂと左右の平面板部１１ａとの間のそれぞれの開き角度θ２は、等しいことが好ましいが、弾性体板１１Ｂが可撓性であれば、手首１の横断面形状に馴染んで開き角度θ２が変わるので、異なっていても差し支えない。また、中央の平面板部１１ｂよりも左右の平面板部１１ａの長さが長い方が好ましいが、長さが等しいか、若しくは短くても差し支えない。
【００４４】
第２実施形態の弾性体板１１Ｂであれば、装着時に、動脈２，３への圧迫を阻害する要因となる手首１の隆起部を中央の平面板部１１ｂで押さえ付けることで、腱４の周辺の組織と動脈２，３の周辺の組織との高さの差が少なくなるので、阻血袋１５の動脈２，３への圧迫効率がより高くなる。
【００４５】
図３（ａ）は、第３実施形態の弾性体板１１Ｃを手首１に装着した時の断面図である。第２実施形態の弾性体板１１Ｂと相違する点は、左右の平面板部１１ａに連なり、手首１の両側面を覆う平面板部１１ｃを設けて、手首１の少なくとも上半周を覆う長さに設定したことである。
【００４６】
上記弾性体板１１Ｃの長軸方向の平面板部１１ａよりも短軸方向の平面板部１１ｃの長さを短くする方が手首１の横断面形状に合うために好ましい。
【００４７】
第３実施形態の弾性体板１１Ｃであれば、手首１の両側面も平面板部１１ｃで圧迫することができるから、装着時の位置ずれがより少なくなって、動脈２，３への圧迫効率がより一層高くなる。
【００４８】
また、この弾性体板１１Ｃを阻血袋１５と略一致する長さとすれば、手首１の側面の平面板部１１ｃで阻血袋１５が圧迫されて、手首１の側面付近の阻血袋１５に流れ込む空気量が少なく、動脈２，３を圧迫するための空気量が多くなって、動脈２，３への圧迫効率がより一層高くなる。
【００４９】
図３（ｂ）は、第４実施形態の弾性体板１１Ｄを手首１に装着した時の断面図である。第３実施形態の弾性体板１１Ｃと相違する点は、両側面の平面板部１１ｃに連なり、手首１の横断面の長軸に対して、手首１の主要な動脈２，３と反対側（手背側）の手首１を覆う平面板部１１ｄを設けて、手首１のほぼ全周を覆う長さに設定したことである。
【００５０】
第４実施形態の弾性体板１１Ｄであれば、手首１のほぼ全周に亘って弾性体板１１Ｄで覆うことができるから、装着時の位置ずれがより少なくなるとともに、阻血袋１５の逃げる力の抑制が強くなって、動脈２，３への圧迫効率がより一層高くなる。
【００５１】
図４（ａ）は、第５実施形態の弾性体板１１Ｅを手首１に装着した時の断面図である。第４実施形態の弾性体板１１Ｄと相違する点は、左右の平面板部１１ｄに連なって手首１の手首１の下部を覆う平面板部１１ｅを設けて、手首１の全周を覆う長さに設定したことである。
【００５２】
なお、平面板部１１ｅは、一方（例えば図の左側）の平面板部１１ｄとの間は連結され、他方（例えば図の右側）の平面板部１１ｄとの間は連結されていない構成とすることもできる。
【００５３】
第５実施形態の弾性体板１１Ｅであれば、手首１の全周に亘って弾性体板１１Ｅで覆うことができるから、装着時の位置ずれがより少なくなるとともに、阻血袋１５の逃げる力の抑制が強くなって、動脈２，３への圧迫効率がより一層高くなる。
【００５４】
上記各弾性体板１１Ａ〜１１Ｅは隣り合う平面板部１１ａ〜１１ｅは、それぞれ折れ曲がり部１１ｆで連結した一体物であるから、部品点数や加工コストを削減できるようになる。
【００５５】
図４（ｂ）は、第６実施形態の弾性体板１１Ｆを手首１に装着した時の断面図である。第５実施形態の弾性体板１１Ｅと相違する点は、平面板部１１ｅの一端を一方（図の左側）の平面板部１１ｄにヒンジ部１１ｈで開閉自在に連結した点である。
【００５６】
第６実施形態の弾性体板１１Ｆであれば、平面板部１１ｅを開閉できるから、手首１への装着が容易に行える。なお、ヒンジ部１１ｈに回転ラチェットを設けて、平面板部１１ｅを閉じ方向にロックすることもできる。
【００５７】
図５（ａ）（ｂ）は、第７実施形態の弾性体板１１Ｇを手首１に装着した時の断面図である。第４実施形態の弾性体板１１Ｄと相違する点は、隣り合う平面板部１１ａ〜１１ｄの折れ曲がり部１１ｆに相当する部位にＶ字状の切込み１１ｇを形成したことである。換言すれば、弾性体板１１Ｇの平面板部１１ａ〜１１ｄを分割して、この分割部（平面板部１１ａ〜１１ｄ）を連結部（切込み１１ｇ）で連結したことである。
【００５８】
第７実施形態の弾性体板１１Ｇであれば、弾性体板１１Ｇが切込み１１ｇでキャタピラ状になるから、手首１のほぼ全周に亘って覆う構造であっても、装着が容易になって使い勝手が良くなる。また、切込み１１ｇを複数設けることによって、図５（ｂ）のように、弾性体板１１Ｇをコンパクトに折り畳むことが可能になる。
【００５９】
図５（ｃ）は、第８実施形態の弾性体板１１Ｈの平面図である。第６実施形態の弾性体板１１Ｇと相違する点は、隣り合う平面板部１１ａ〜１１ｄを分割して、この分割した平面板部１１ａ〜１１ｄを別体の連結部１１ｉで折り曲げ可能に連結したことである。
【００６０】
上記連結部１１ｉは、平面板部１１ａ〜１１ｄと同じプラスチック材料で、厚みが薄いものを平面板部１１ａ〜１１ｄに熱溶着で連結することができる他、ゴムのような弾性材料を接着して連結することができる。また、金型によって、平面板部１１ａ〜１１ｄと連結部１１ｉとを一体成形することも可能である。
【００６１】
第８実施形態の弾性体板１１Ｈであれば、弾性体板１１Ｈが連結部１１ｉでキャタピラ状になるから、手首１のほぼ全周に亘って覆う構造であっても、装着が容易になって使い勝手が良くなる。また、連結部１１ｉを複数設けることによって、図５（ｂ）の弾性体板１１Ｇと同様に、弾性体板１１Ｈをコンパクトに折り畳むことが可能になる。
【００６２】
図６は、第９実施形態の弾性体板１１Ｉであり、（ａ）は平面図、（ｂ）は手首１に装着した時の断面図である。第８実施形態の弾性体板１１Ｈと相違する点は、この分割した平面板部１１ａ〜１１ｄを外布１３の内面に粘着剤２４等で折り曲げ可能に固定したことである。
【００６３】
第９実施形態の弾性体板１１Ｉであれば、弾性体板１１Ｉが外布８でキャタピラ状になるから、手首１のほぼ全周に亘って覆う構造であっても、装着が容易になって使い勝手が良くなる。また、隣り合う平面板部１１ａ〜１１ｄの間の外布１３が連結部となるから、図５（ｂ）の弾性体板１１Ｇと同様に、弾性体板１１Ｉをコンパクトに折り畳むことが可能になる。
【００６４】
図７は、第１０実施形態の弾性体板１１Ｊであり、（ａ）は斜視図、（ｂ）は平面図、（ｃ）は正面図である。第３実施形態の弾性体板１１Ｃと相違する点は、弾性体板１１Ｊの平面板部１１ａ〜１１ｄを手首１の長さ方向に縮小もしくは拡大していることである。
【００６５】
第１０実施形態の弾性体板１１Ｊであれば、一般に手首１は肘側が太く、指先側が細いことから、縮小側を指先側、拡大側を肘側にして装着すれば、手首１に対しても密着性が良くなって、阻血袋１５の動脈２，３への圧迫効率が一層高くなる。なお、第１０実施形態の構造は、第３実施形態の弾性体板１１Ｃの構造に限られるものではなく、その他の実施形態の構造にも適用することができる。
【００６６】
上記各実施形態において、弾性体板１１Ａ〜１１Ｊの平面板部１１ａ〜１１ｄを左右対称形状とすると、阻血袋１５の膨張時の左右のバランスが良くなって、動脈２，３への圧迫効率が一層高くなる。
【００６７】
上記各実施形態は、弾性体板１１Ａ〜１１Ｊを設けたものであったが、図８の血圧計１０のように、カフ帯１２の外布１３に取付ける血圧計本体１７を手首１の周方向に例えば２分割して、一方（左側）の血圧計本体１７Ａを外布１３に取付けるとともに、この血圧計本体１７Ａに他方（右側）の血圧計本体１７Ｂをヒンジ部１７ａで連結して、血圧計本体１７Ａ，１７Ｂを所定の開き角度θ１で折曲可能に構成することもできる。
【００６８】
この場合、手首１に巻き付けたカフ帯１２と他方の血圧計本体１７Ｂの側面とを面ファスナー１６等でずれないように固定する。
【００６９】
この実施形態であれば、手首１の測定部位の凹凸部分を所定の開き角度θ１で折曲した血圧計本体１７Ａ，１７Ｂの平面板部（底部に相当）１７ｂで囲むことができるから、測定部位に対する平面板部１７ｂの接触面積が多くなって、手首１への装着時に回転力が生じても接触摩擦力によって回転しにくくなるので、装着時の位置ずれが少なくなり、阻血袋の動脈への圧迫効率が高くなって測定精度が向上する。また、阻血袋１５が膨張した際に、阻血袋１５が手首等から遠ざかる方向に逃げる力の抑制は、曲面状に比べて平面状の方が強いために、阻血袋１５の動脈への圧迫効率がより高くなる。
【００７０】
さらに、血圧計本体１７Ａ，１７Ｂを弾性体板として利用できるから、別体の弾性体板が不要となってコストを軽減できるようになる。
【００７１】
上記各実施形態の説明では、測定部位を手首１としたが、上腕、足首等であっても良いことは言うまでもない。
【図面の簡単な説明】
【００７２】
【図１】血圧計であり、（ａ）は手首に装着した時の断面図、（ｂ）は、第１実施形態の弾性体板の平面図、（ｃ）は（ａ）の正面図である。
【図２】第２実施形態の弾性体板であり、（ａ）は手首に装着した時の断面図、（ｂ）は平面図、（ｃ）は（ａ）の正面図である。
【図３】（ａ）は、第３実施形態の弾性体板を手首に装着した時の断面図、（ｂ）は、第４実施形態の弾性体板を手首に装着した時の断面図である。
【図４】（ａ）は、第５実施形態の弾性体板を手首に装着した時の断面図、（ｂ）は、第６実施形態の弾性体板を手首に装着した時の断面図である。
【図５】（ａ）は、第７実施形態の弾性体板を手首に装着した時の断面図、（ｂ）は、弾性体板の折り畳み状態の側面図、（ｃ）は、第８実施形態の弾性体板の平面図である。
【図６】第９実施形態の弾性体板であり、（ａ）は平面図、（ｂ）は手首に装着した時の断面図である。
【図７】第１０実施形態の弾性体板であり、（ａ）は斜視図、（ｂ）は平面図、（ｃ）は正面図である。
【図８】別実施形態の血圧計本体を手首に装着した時の断面図である。
【図９】（ａ）は一般的な手首の横断面図、（ｂ）は従来の弾性体板を手首に装着した時の断面図、（ｃ）は第１実施形態の弾性体板を手首に装着した時の断面図である。
【図１０】（ａ）は従来の弾性体板を手首に装着した時の断面図、（ｂ）は第１実施形態の弾性体板を手首に装着した時の断面図である。
【符号の説明】
【００７３】
１      手首
２，３  動脈
１０    血圧計
１１Ａ〜１１Ｊ  弾性体板
１１ａ〜１１ｅ  平面板部
１１ｆ  折れ曲がり部
１１ｇ  切り込み
１１ｈ  ヒンジ部
１１ｉ  連結部
１２    カフ帯
１３    外布
１５    阻血袋
１７（Ａ，Ｂ）血圧計本体
２４    粘着剤
θ１，θ２  開き角度
【図１】
2005334124.tif 000003
【図２】
2005334124.tif 000004
【図３】
2005334124.tif 000005
【図４】
2005334124.tif 000006
【図５】
2005334124.tif 000007
【図６】
2005334124.tif 000008
【図７】
2005334124.tif 000009
【図８】
2005334124.tif 000010
【図９】
2005334124.tif 000011
【図１０】
2005334124.tif 000012